(57)【要約】【課題】長期使用時にも円盤状吸水体がスリップしたり、円筒枠体から離脱することを防止することができる回転加湿フィルターを提供する。【解決手段】円盤状吸水体１を円筒枠体２の内周面３側に装着して回転体４を構成し、円盤状吸水体１の下部５を水Ｗに浸しつつ回転体４を回転し、円盤状吸水体１に乾燥空気を通過させることにより加湿する回転加湿フィルターにおいて、円盤状吸水体１が、多数の通気用貫通孔を有する板状吸水シート７をプリーツ状に折畳んだ折畳体８から成る。【選択図】図１
2008267699.tif 000002
【特許請求の範囲】
【請求項１】
円盤状吸水体（１）を円筒枠体（２）の内周面（３）側に装着して回転体（４）を構成し、上記円盤状吸水体（１）の下部（５）を水（Ｗ）に浸しつつ上記回転体（４）を回転し、上記円盤状吸水体（１）に乾燥空気を通過させることにより加湿する回転加湿フィルターにおいて、
上記円盤状吸水体（１）が、多数の通気用貫通孔（６）を有する板状吸水シート（７）をプリーツ状に折畳んだ折畳体（８）から成ることを特徴とする回転加湿フィルター。
【請求項２】
円盤状吸水体（１）を円筒枠体（２）の内周面（３）側に装着して回転体（４）を構成し、上記円盤状吸水体（１）の下部（５）を水（Ｗ）に浸しつつ上記回転体（４）を回転し、上記円盤状吸水体（１）に乾燥空気を通過させることにより加湿する回転加湿フィルターにおいて、
上記円盤状吸水体（１）が、弦方向（Ｇ）に所定ピッチ（Ｐ）で平行に配設した帯板状吸水シート（12）と、隣り合う該帯板状吸水シート（12）の間に介設された波型吸水シート（13）から成ることを特徴とする回転加湿フィルター。
【請求項３】
円盤状吸水体（１）を円筒枠体（２）の内周面（３）側に装着して回転体（４）を構成し、上記円盤状吸水体（１）の下部（５）を水（Ｗ）に浸しつつ上記回転体（４）を回転し、上記円盤状吸水体（１）に乾燥空気を通過させることにより加湿する回転加湿フィルターにおいて、
上記円盤状吸水体（１）が、帯板状吸水シート（12）を円筒枠体（２）の半径（ｒ）より僅かに小さいラジアル方向第１寸法（ａ）の径方向長片（16）と該ラジアル方向第１寸法（ａ）よりも小さなラジアル方向第２寸法（ｂ）の径方向短片（17）をプリーツ状に折畳んだ折畳体（18）から成ることを特徴とする回転加湿フィルター。
【請求項４】
円盤状吸水体（１）を円筒枠体（２）の内周面（３）側に装着して回転体（４）を構成し、上記円盤状吸水体（１）の下部（５）を水（Ｗ）に浸しつつ上記回転体（４）を回転し、上記円盤状吸水体（１）に乾燥空気を通過させることにより加湿する回転加湿フィルターにおいて、
上記円盤状吸水体（１）が、帯板状吸水シート（12）と波型吸水シート（13）を渦巻き状に積層した渦巻積層体（19）から成り、かつ、該円盤状吸水体（１）の最外周面（10）と上記円筒枠体（２）との間に円筒状クッション材（11）を介在させたことを特徴とする回転加湿フィルター。
【請求項５】
上記円盤状吸水体（１）の最外周面（10）と上記円筒枠体（２）との間に円筒状クッション材（11）を介在させた請求項１，２又は３記載の回転加湿フィルター。
【発明の詳細な説明】
【技術分野】
【０００１】
本発明は、回転加湿フィルターに関する。
【背景技術】
【０００２】
従来、円盤状吸水体を有する加湿フィルターがあり（例えば、特許文献１参照）、近年、加湿性能を向上するために回転させて用いられている。回転加湿フィルターでは、例えば、円盤状吸水体を円筒枠体の内周面側に装着して回転体を構成し、円盤状吸水体の下部を水に浸しつつ回転体を回転し、円盤状吸水体に乾燥空気を通過させることにより加湿するように構成されている。
【０００３】
しかし、図９に示すように、円盤状吸水体30が、吸水と乾燥を繰り返すうちに、乾燥時に収縮して円筒枠体31から剥離し（円盤状吸水体30と円筒枠体31との間に隙間Ｚが生じ）、極端な場合には、スリップしたり、円筒枠体から離脱するという欠点があった。
【特許文献１】実開昭５５−２６３９０号公報
【発明の開示】
【発明が解決しようとする課題】
【０００４】
解決しようとする課題は、円盤状吸水体が、吸水と乾燥を繰り返すうちに、乾燥時に収縮して円筒枠体から剥離し（円盤状吸水体と円筒枠体との間に隙間が生じ）、極端な場合には、スリップしたり、円筒枠体から離脱する点である。
【課題を解決するための手段】
【０００５】
そこで、本発明に係る回転加湿フィルターは、円盤状吸水体を円筒枠体の内周面側に装着して回転体を構成し、上記円盤状吸水体の下部を水に浸しつつ上記回転体を回転し、上記円盤状吸水体に乾燥空気を通過させることにより加湿する回転加湿フィルターにおいて、上記円盤状吸水体が、多数の通気用貫通孔を有する板状吸水シートをプリーツ状に折畳んだ折畳体から成るものである。
【０００６】
円盤状吸水体を円筒枠体の内周面側に装着して回転体を構成し、上記円盤状吸水体の下部を水に浸しつつ上記回転体を回転し、上記円盤状吸水体に乾燥空気を通過させることにより加湿する回転加湿フィルターにおいて、上記円盤状吸水体が、弦方向に所定ピッチで平行に配設した帯板状吸水シートと、隣り合う該帯板状吸水シートの間に介設された波型吸水シートから成るものである。
【０００７】
円盤状吸水体を円筒枠体の内周面側に装着して回転体を構成し、上記円盤状吸水体の下部を水に浸しつつ上記回転体を回転し、上記円盤状吸水体に乾燥空気を通過させることにより加湿する回転加湿フィルターにおいて、上記円盤状吸水体が、帯板状吸水シートを円筒枠体の半径より僅かに小さいラジアル方向第１寸法の径方向長片と該ラジアル方向第１寸法よりも小さなラジアル方向第２寸法の径方向短片をプリーツ状に折畳んだ折畳体から成るものである。
【０００８】
円盤状吸水体を円筒枠体の内周面側に装着して回転体を構成し、上記円盤状吸水体の下部を水に浸しつつ上記回転体を回転し、上記円盤状吸水体に乾燥空気を通過させることにより加湿する回転加湿フィルターにおいて、上記円盤状吸水体が、帯板状吸水シートと波型吸水シートを渦巻き状に積層した渦巻積層体から成り、かつ、該円盤状吸水体の最外周面と上記円筒枠体との間に円筒状クッション材を介在させたものである。
また、上記円盤状吸水体の最外周面と上記円筒枠体との間に円筒状クッション材を介在させたものである。
【発明の効果】
【０００９】
本発明の回転加湿フィルターによれば、長期使用時にも円盤状吸水体がスリップしたり、円筒枠体から離脱することを防止することができる。そして、加湿フィルターとして安定して優れた加湿性能を発揮する。
【発明を実施するための最良の形態】
【００１０】
図１〜図３は、本発明の第１の実施の形態を示す。円盤状吸水体１を円筒枠体２の内周面３側に装着して回転体４が構成されている。円筒枠体２は、金属製又はプラスチック製である。円盤状吸水体１の下部５を水Ｗに浸しつつ回転体４を図１の矢印Ａに示すように回転し、円盤状吸水体１に乾燥空気を図１の矢印Ｂに示すように通過させることにより加湿する。なお、回転体４の回転手段は、例えば、円筒枠体２の外周面２ａに複数のローラ（図示省略）を当接させつつ円筒枠体２を支持し、これらのローラをモータ（図示省略）にて回転させることにより回転体４を回転させることができる。あるいは、円盤状吸水体１の中心部に孔部を設けて、（孔部の直径と同一寸法の直径の）軸を挿通し、この軸をモータにて回転させることにより回転体４を回転させることもできる。
【００１１】
円盤状吸水体１が、多数の通気用貫通孔６を有する板状吸水シート７をプリーツ状（すなわち山折りと谷折り）に折畳んだ折畳体８から成る。板状吸水シート７は、例えば、パルプや合成繊維等の吸水性を有する材料にて構成される。具体的には、例えば、レーヨンやコットン等から成る織布又は不織布を素材とする。さらに、板状吸水シート７をプリーツ状に折畳んだ形状を保持するホットメルト樹脂９を有する。ホットメルト樹脂９は、具体的には、エチレン酢酸ビニル共重合物を主成分とし、軟化温度を調整するためにワックス等を加えた組成物が挙げられる。円盤状吸水体１の最外周面10と円筒枠体２との間に円筒状クッション材11が介在している。円筒状クッション材11は、例えば、ウレタンフォーム、発泡ゴム等である。円盤状吸水体１と円筒状クッション材11が、接着等により固着されている。円筒状クッション材11と円筒枠体２が、接着等により固着されている。
【００１２】
図４・図５は、第２の実施の形態を示す。円盤状吸水体１が、弦方向Ｇに所定ピッチＰで平行に配設した帯板状吸水シート12と、隣り合う帯板状吸水シート12の間に介設された波型吸水シート13から成る。帯板状吸水シート12及び波型吸水シート13は、例えば、パルプや合成繊維等の吸水性を有する材料にて構成される。具体的には、例えば、レーヨンやコットン等から成る織布又は不織布を素材とする。帯板状吸水シート12は、多数の通気用貫通孔14を有する。波型吸水シート13は、多数の通気用貫通孔15を有する。その他の構成は、第１の実施の形態と同様である。
【００１３】
図６・図７は、第３の実施の形態を示す。円盤状吸水体１が、帯板状吸水シート12を円筒枠体２の半径ｒより僅かに小さいラジアル方向第１寸法ａの径方向長片16とラジアル方向第１寸法ａよりも小さなラジアル方向第２寸法ｂの径方向短片17をプリーツ状に折畳んだ折畳体18から成る。その他の構成は、第１の実施の形態と同様である。
【００１４】
図８は、第４の実施の形態を示す。円盤状吸水体１が、帯板状吸水シート12と波型吸水シート13を渦巻き状に積層した渦巻積層体19から成り、かつ、円盤状吸水体１の最外周面10と円筒枠体２との間に円筒状クッション材11が介在している。第２の実施の形態（図５参照）と同様に、帯板状吸水シート12は、多数の通気用貫通孔14を有するとともに、波型吸水シート13は、多数の通気用貫通孔15を有する。その他の構成は、第１の実施の形態と同様である。
【００１５】
なお、本発明は、設計変更可能であって、例えば、第１の実施の形態、第２の実施の形態、第３の実施の形態において、円筒状クッション材11を省略しても良い。また、図示省略するが、第３の実施の形態で、ラジアル方向第１寸法ａの径方向長片16とラジアル方向第２寸法ｂの径方向短片17との間に、第１寸法ａより小さくかつ第２寸法ｂより大きなラジアル方向第３寸法・ラジアル方向第４寸法等の中間片を形成するも良い。また、第２の実施の形態の通気用貫通孔14、通気用貫通孔15を省略するも良い。
【００１６】
以上のように、本発明は、円盤状吸水体１を円筒枠体２の内周面３側に装着して回転体４を構成し、円盤状吸水体１の下部５を水Ｗに浸しつつ回転体４を回転し、円盤状吸水体１に乾燥空気を通過させることにより加湿する回転加湿フィルターにおいて、円盤状吸水体１が、多数の通気用貫通孔６を有する板状吸水シート７をプリーツ状に折畳んだ折畳体８から成るので、円盤状吸水体１の拡径・縮径の変化量が小さく、長期使用時にも円盤状吸水体１がスリップしたり、円筒枠体２から離脱することを防止することができる。そして、加湿フィルターとして安定して優れた加湿性能を発揮する。板状吸水シート７をプリーツ状に折畳んだ折畳体８は通水抵抗が低いので吸水速度が速く、その結果、加湿性能が高い。また、板状吸水シート７をプリーツ状に折畳んだ折畳体８は自動化されたラインで量産されるので、低コストで製造することができる。また、折畳体８を円盤状に切出すことにより、円盤状吸収体１を容易に製造することができる。
【００１７】
また、円盤状吸水体１を円筒枠体２の内周面３側に装着して回転体４を構成し、円盤状吸水体１の下部５を水Ｗに浸しつつ回転体４を回転し、円盤状吸水体１に乾燥空気を通過させることにより加湿する回転加湿フィルターにおいて、円盤状吸水体１が、弦方向Ｇに所定ピッチＰで平行に配設した帯板状吸水シート12と、隣り合う帯板状吸水シート12の間に介設された波型吸水シート13から成るので、円盤状吸水体１の拡径・縮径の変化量が小さく、長期使用時にも円盤状吸水体１がスリップしたり、円筒枠体２から離脱することを防止することができる。そして、加湿フィルターとして安定して優れた加湿性能を発揮する。また、弦方向Ｇに所定ピッチＰで平行に配設した帯板状吸水シート12と、隣り合う帯板状吸水シート12の間に介設された波型吸水シート13から成る円盤状吸水体１は、通気抵抗が低いので、同じ送風機を用いても大風量を得ることができ、その結果、加湿性能が高い。また、自動化されたラインで量産されるので、低コストで製造することができる。また、所定ピッチＰで平行に配設した帯板状吸水シート12と、隣り合う帯板状吸水シート12の間に介設された波型吸水シート13から成る積層体（いわゆる片段ボールを積層したもの）を円盤状に切出すことにより、円盤状吸水体１を容易に製造することができる。
【００１８】
また、円盤状吸水体１を円筒枠体２の内周面３側に装着して回転体４を構成し、円盤状吸水体１の下部５を水Ｗに浸しつつ回転体４を回転し、円盤状吸水体１に乾燥空気を通過させることにより加湿する回転加湿フィルターにおいて、円盤状吸水体１が、帯板状吸水シート12を円筒枠体２の半径ｒより僅かに小さいラジアル方向第１寸法ａの径方向長片16とラジアル方向第１寸法ａよりも小さなラジアル方向第２寸法ｂの径方向短片17をプリーツ状に折畳んだ折畳体18から成るので、円盤状吸水体１の拡径・縮径の変化量が小さく、長期使用時にも円盤状吸水体１がスリップしたり、円筒枠体２から離脱することを防止することができる。そして、加湿フィルターとして安定して優れた加湿性能を発揮する。また、材料のロスを少なくすることができる。
【００１９】
また、円盤状吸水体１を円筒枠体２の内周面３側に装着して回転体４を構成し、円盤状吸水体１の下部５を水Ｗに浸しつつ回転体４を回転し、円盤状吸水体１に乾燥空気を通過させることにより加湿する回転加湿フィルターにおいて、円盤状吸水体１が、帯板状吸水シート12と波型吸水シート13を渦巻き状に積層した渦巻積層体19から成り、かつ、円盤状吸水体１の最外周面10と円筒枠体２との間に円筒状クッション材11を介在させたので、円盤状吸収体１の膨張・収縮を円筒状クッション材11が吸収し、従って、長期使用時にも円盤状吸水体１がスリップしたり、円筒枠体２から離脱することを防止することができる。そして、加湿フィルターとして安定して優れた加湿性能を発揮する。
【００２０】
また、円盤状吸水体１の最外周面10と円筒枠体２との間に円筒状クッション材11を介在させたので、円盤状吸収体１の膨張・収縮を円筒状クッション材11が吸収し、従って、長期使用時にも円盤状吸水体１がスリップしたり、円筒枠体２から離脱することを防止することができる。そして、加湿フィルターとして安定して優れた加湿性能を発揮する。
【図面の簡単な説明】
【００２１】
【図１】第１の実施の形態の使用状態を示す斜視図である。
【図２】回転体を示す正面図である。
【図３】折畳体を示す斜視図である。
【図４】第２の実施の形態を示す正面図である。
【図５】帯板状吸水シートと波型吸水シートを積層させたものを示す斜視図である。
【図６】第３の実施の形態を示す正面図である。
【図７】折畳体を示す斜視図である。
【図８】第４の実施の形態を示す正面図である。
【図９】従来例を示す正面図である。
【符号の説明】
【００２２】
１  円盤状吸水体
２  円筒枠体
３  内周面
４  回転体
５  下部
６  通気用貫通孔
７  板状吸水シート
８  折畳体
10  最外周面
11  円筒状クッション材
12  帯板状吸水シート
13  波型吸水シート
16  径方向長片
17  径方向短片
18  折畳体
19  渦巻積層体
ａ  ラジアル方向第１寸法
ｂ  ラジアル方向第２寸法
Ｇ  弦方向
Ｐ  所定ピッチ
ｒ  半径
Ｗ  水
【図１】
2008267699.tif 000003
【図２】
2008267699.tif 000004
【図３】
2008267699.tif 000005
【図４】
2008267699.tif 000006
【図５】
2008267699.tif 000007
【図６】
2008267699.tif 000008
【図７】
2008267699.tif 000009
【図８】
2008267699.tif 000010
【図９】
2008267699.tif 000011